(57)【要約】【課題】ホワイトボード及び映写スクリーンとしての機能を併せ持つ両面磁石シートを提供することを課題とする。【解決手段】両面磁石シートの片面にホワイトボード機能を持ち、裏面にスクリーン機能を持ち、使用用途に応じた面を表側にし、裏側と磁性体面を磁気吸着力で貼付し使用する。【選択図】図１
2015047864.tif 000002
【特許請求の範囲】
【請求項１】
両面磁石シートの片面にホワイトボード機能を有し、前記両面磁石シートの裏面にスクリーン機能を有したことを特徴とするホワイトボード及びスクリーン兼用両面磁石シート。
【発明の詳細な説明】
【技術分野】
【０００１】
本発明は、ホワイトボード及び映写スクリーンとしての機能を併せ持つ両面磁石シートに関するものである。
【背景技術】
【０００２】
企業等では、プロジェクターを使用した会議等が行われており、板書用のホワイトボードとプロジェクターからの画像を映写するための映写スクリーンが必要であるが、テナント型の企業では、壁や天井への工事を行えないため、ホワイトボードやスクリーンを壁や天井に固定することが出来ない。そのため、スタンド型ホワイトボードやスタンド型スクリーンを使用しており、両方を設置又は保管するには、限られた部屋のスペースを有効に活用できない問題があった。
【０００３】
テナント型の企業の多くは、スチールパーティションで施工されているため、マグネット型ホワイトボードやマグネット型スクリーンをスチールパーティションに貼付して使用する事例が増加している。
【０００４】
しかし、マグネット型ホワイトボードとマグネット型スクリーンの両方を同時に貼付するには、スペースの関係上で問題があることが多く、また、両方を常備するのは、コストアップに繋がる。
【０００５】
近年の学校では、電子黒板機能付プロジェクターが普及しており、板書と投写画面との併用を手軽に行うため、ホワイトボードへの映写を望む声がある。しかし、従来のホワイトボードは、表面の光沢が強すぎるため、外光や光源の反射や映り込みが発生し、画像が見えにくいため、映写面には不向きであり、また、従来の黒板への映写は、反射が低すぎるため、画像が暗く、色彩が明確に映写できない問題があるため、従来のホワイトボード及び黒板を映写対応ホワイトボードへの張り替えを行う事例が増加している。
【０００６】
映写対応ホワイトボードでも、外光や光源の反射や映り込みを完全に防ぐことはできないが、ホワイトボード機能とスクリーン機能の両方の機能を有している。
【０００７】
しかし、映写対応ホワイトボードへの張り替えには、工事が必要となるため、コストアップに繋がる。
【０００８】
従来のスクリーンは、従来のホワイトボードより外光や光源の映り込みは少ないが、スクリーン自体が布状であるため、風の影響を受けやすい等不安定なため、電子黒板機能の操作や文字の書き込み等をスクリーン上で行うことができないため、電子黒板機能付プロジェクターの使用には適さない。
【先行技術文献】
【特許文献】
【０００９】
【特許文献１】特開平１１−１５０７８号公報
【特許文献２】特開２００６−３３４８５０号公報
【発明の概要】
【発明が解決しようとする課題】
【００１０】
スタンド型ホワイトボードとスタンド型スクリーンの両方を常備するのは、コストアップに繋がり、また、限られたスペースを有効に活用できない問題がある。
【００１１】
従来の一般的なスクリーンは、布状であり、風などの影響を受けやすく、不安定であるため、電子黒板機能を使用するために必要な操作や書き込みをスクリーン上で行うことは不可能であるため電子黒板機能付プロジェクターの使用には適さない。
【００１２】
マグネット型ホワイトボードやマグネット型スクリーンの両方を常備するのは、コストアップに繋がり、また、両方を同時にスチールパーティション等に貼付するには、スペースが必要となるため、一方を保管する等の対策が必要となる。
【００１３】
映写対応ホワイトボードへの張り替えには、工事が必要となりコストアップに繋がる。
【００１４】
特許文献１で提案されているスクリーンでは、ホワイトボード機能を有しているが、従来のホワイトボードと比較して、マーカーが消えにくい問題があるため、ホワイトボードを頻繁に使用する場合は、別途ホワイトボードを所有する必要があり、コストアップに繋がる。
【００１５】
特許文献２で提案されているホワイトボードは、光沢や反射を抑えているため、従来のホワイトボードと比較して、外光や光源の反射や映り込みを抑えているため映写が可能ではあるが、完全に反射や映り込みを防げないためスクリーンに劣った映写面となってしまう問題がある。
【００１６】
このようにホワイトボード機能とスクリーン機能を兼用する提案があるが、一長一短があり、ホワイトボード機能及びスクリーン機能を十分に発揮できるものではない。
【課題を解決するための手段】
【００１７】
両面磁石シートの片面にホワイトボード機能を持ち、裏面にスクリーン機能を持ち、使用用途に応じた面を表側にし、裏側とスチールパーティション等の磁性体面を磁気吸着力で貼付し使用する。
【００１８】
磁気吸着力で貼付しているので、使用する面を変更する等の時は、磁性体壁面から剥がし、使用する面を表側にし、裏側を磁性体面と磁気吸着力で貼付し使用する。
【発明の効果】
【００１９】
ホワイトボードとスクリーンの両方を常備する必要がないため、コストダウンに繋がり、また、限られたスペースを有効に活用できる。
【００２０】
スチールパーティションや既設の黒板又はホワイトボード等の磁性体面に貼りつけて使用するので、電子黒板機能の操作や文字の書き込みを安定して行うことが出来る。
【００２１】
磁気吸着力によって貼付を行うので、ホワイトボード面からスクリーン面への張り替えやスクリーン面からホワイトボード面への張り替え又は使用する高さの変更を容易に行うことが出来る。
【００２２】
従来の黒板に貼付すれば、従来の黒板の一部又は全面をホワイトボード又はスクリーンとして使用でき、また、張り替え工事が不要なためコストの削減に繋がる。
【図面の簡単な説明】
【００２３】
【図１】本発明によるホワイトボード及びスクリーン兼用両面磁石シートの概略断面図である。
【図２】本発明によるホワイトボード面使用時の貼付方法を示す概略斜視図である。
【図３】本発明によるスクリーン面使用時の貼付方法を示す概略斜視図である。
【発明を実施するための形態】
【００２４】
ホワイトボード面１は、ホワイトボード機能を持ち、ホワイトボード用マーカーでの書き込み及び拭き消しが可能である。また、従来のホワイトボードより光沢や反射率を抑えた前記ホワイトボード面１とすることが可能であり、従来のスクリーンと比較すると外光や光源の反射や映り込みがあるため、画像の見やすさは劣るが投写も可能である。
【００２５】
スクリーン面２は、スクリーン機能を持ち、プロジェクターの投写が可能である。
【００２６】
両面磁石シート３の片面は、前記ホワイトボード面１となり、裏側は、前記スクリーン面２となっており、前記ホワイトボード面１を使用する場合は、前記スクリーン面２をスチールパーティション等４と磁気吸着力で貼付して使用し、前記スクリーン面２を使用する場合は、前記ホワイトボード面１を前記スチールパーティション等４と磁気吸着力で貼付し使用する。
【００２７】
磁気吸着力で貼付しているので、必要に応じて使用面の変更が容易に行え、また、使用する高さや場所の変更も容易に行える。
【符号の説明】
【００２８】
１  ホワイトボード面
２  スクリーン面
３  両面磁石シート
４  スチールパーティション等
【図１】
2015047864.tif 000003
【図２】
2015047864.tif 000004
【図３】
2015047864.tif 000005